(57)【要約】      （修正有）【課題】接続信頼性を確保して、アンテナ特性を向上させることができる時計を提供する。【解決手段】時計モジュールを収容する腕時計ケース１と、この腕時計ケース１の上面にその円周方向に沿って不連続なリング状に設けられて、腕時計ケース１の外側から腕時計ケース１内の時計モジュールに電気的に接続されるアンテナ６と、を備えている。従って、腕時計ケース１の外側からアンテナ６を腕時計ケース１内の時計モジュールに電気的に接続するので、アンテナ６と時計モジュールとを確実にかつ良好に接続することができる。これにより、接続信頼性を確保することができるので、電波を安定した状態で良好に受信することができ、これにより受信性能およびアンテナ利得を向上させることができるので、アンテナ特性を向上させることができる。【選択図】図２
2020115085.tif 000002
【特許請求の範囲】
【請求項１】
モジュールを収容するケースと、
前記ケースの一面に円周方向に沿って不連続な環状に設けられて、前記ケースの外側から前記ケース内の前記モジュールに電気的に接続されたアンテナと、
を備えていることを特徴とする時計。
【請求項２】
請求項１に記載の時計において、前記アンテナは、前記ケースの１２時側と６時側とに設けられたバンド取付部の箇所を経て前記モジュールと電気的に接続されていることを特徴とする時計。
【請求項３】
請求項１または請求項２に記載の時計において、前記アンテナは、前記モジュールに電気的に接続される給電接点部および第１〜第３グランド接点部を備えていることを特徴とする時計。
【請求項４】
請求項３に記載の時計において、前記給電接点部は、前記１２時側の前記バンド取付部に対応する前記ケースに設けられた第１接続部材によって前記モジュールと電気的に接続されていることを特徴とする時計。
【請求項５】
請求項３に記載の時計において、前記第１グランド接点部は、前記１２時側の前記バンド取付部に対応する前記ケースに設けられた第２接続部材によって前記ケースの前記一面と反対側の他面に設けられた裏蓋を介して前記モジュールと電気的に接続されていることを特徴とする時計。
【請求項６】
請求項３に記載の時計において、前記第２グランド接点部と前記第３グランド接点部とは、前記６時側の前記バンド取付部に対応する前記ケースに設けられた第３接続部材によって前記ケースの前記一面と反対側の他面に設けられた裏蓋を介して前記モジュールと電気的に接続されていることを特徴とする時計。
【請求項７】
請求項３〜請求項６のいずれかに記載の時計において、前記第１グランド接点部は、前記給電接点部に対して反時計回り方向に所定の開き角度をもって隣接して配置されており、
前記第２グランド接点部は、前記給電接点部に対して所定の開き角度をもってほぼ対角線上に対向して配置されており、
前記第３グランド接点部は、前記給電接点部に対して前記対角線上に対向する位置よりも反時計回り方向に大きい開き角度をもって配置されていることを特徴とする時計。
【請求項８】
請求項１〜請求項７のいずれかに記載の時計において、前記アンテナは、前記ケースの１０時側に対応する箇所に切欠き部が設けられていることを特徴とする時計。
【発明の詳細な説明】
【技術分野】
【０００１】
この発明は、アンテナを備えた腕時計などの時計に関する。
【背景技術】
【０００２】
例えば、腕時計においては、特許文献１に記載されているように、腕時計ケース内に設けられた円板状の文字板の外周部上にその円周に沿ってアンテナを設けた構造のものが知られている。
【先行技術文献】
【特許文献】
【０００３】
【特許文献１】特開２０１５−８５１３号公報
【発明の概要】
【発明が解決しようとする課題】
【０００４】
このような腕時計のアンテナは、給電接点部が腕時計ケース内に設けられた時計モジュールの回路基板に接続され、複数のグランド接点部が時計モジュール内を通してグランド電位である腕時計ケースの裏蓋に接続されている。このため、このような腕時計では、アンテナの接続構造が煩雑で、グランド電位である腕時計ケースの裏蓋との接続信頼性に欠けるため、アンテナ特性を安定して確保することが難しい。
【０００５】
この発明が解決しようとする課題は、接続信頼性を確保して、アンテナ特性を向上させることができる時計を提供することである。
【課題を解決するための手段】
【０００６】
この発明は、モジュールを収容するケースと、前記ケースの一面にその円周方向に沿って不連続な環状に設けられて、前記ケースの外側から前記ケース内の前記モジュールに電気的に接続されたアンテナと、を備えていることを特徴とする時計である。
【発明の効果】
【０００７】
この発明によれば、接続信頼性を確保して、アンテナ特性を向上させることができる。
【図面の簡単な説明】
【０００８】
【図１】この発明を腕時計に適用した一実施形態を示した拡大正面図である。
【図２】図１に示された腕時計ケースにおいて、その上面からカバー部材を取り外した状態を示した拡大正面図である。
【図３】図１に示された腕時計ケースにおいて、その下面から裏蓋を取り外した状態を示した拡大裏面図である。
【図４】図２に示された腕時計ケースのＡ−Ａ矢視における拡大断面図である。
【図５】図２に示された腕時計ケースのＢ−Ｂ矢視において破断して、斜め下側から見た要部の拡大斜視図である。
【図６】図２に示された腕時計ケースの１０時側を示し、（ａ）はその要部を示した拡大側面図、（ｂ）は（ａ）のＣ−Ｃ矢視における拡大断面図である。
【図７】図２に示された腕時計ケースの６時側を示した拡大側面図である。
【図８】図４に示されたアンテナの接続状態を示した構成図である。
【発明を実施するための形態】
【０００９】
以下、図１〜図８を参照して、この発明を腕時計に適用した一実施形態について説明する。
この腕時計は、図１に示すように、腕時計ケース１を備えている。この腕時計ケース１の１２時側と６時側とには、時計バンド２が取り付けられるバンド取付部３がそれぞれ設けられている。この腕時計ケース１の２時側、３時側、および４時側には、スイッチ釦４がそれぞれ設けられている。また、この腕時計ケース１の１０時側には、充電端子部５が設けられている。
【００１０】
この腕時計ケース１は、硬質の合成樹脂によって形成されている。この腕時計ケース１の上部には、図１に示すように、後述するアンテナ６を覆って保護するカバー部材７が設けられている。また、この腕時計ケース１の上部開口部には、図４に示すように、時計ガラス８がパッキン８ａを介して取り付けられている。この腕時計ケース１の下部には、図３および図４に示すように、ステンレスなどの金属製の裏蓋１０が防水リング１０ａを介してビス（図示せず）によって取り付けられている。
【００１１】
この腕時計ケース１の内部には、図３および図４に示すように、時計モジュール１１が配置されている。この時計モジュール１１は、上部ハウジング１１ａと下部ハウジング１１ｂとを備え、これらが重なり合った状態で金属製の押え板１２によって相互に取り付けられるように構成されている。
【００１２】
すなわち、この時計モジュール１１は、図３および図４に示すように、上部ハウジング１１ａと下部ハウジング１１ｂとが重なり合った状態で、押え板１２の複数のフック１２ａが下部ハウジング１１ｂの側面を経て上部ハウジング１１ａの側面に係止されることによって相互に取り付けられている。
【００１３】
本実施形態では、上部ハウジング１１ａ内には、図４に示すように、時刻などの時計機能に必要な各種の情報を電気光学的に表示する平面型の表示パネルである表示部１３が設けられている。下部ハウジング１１ｂ内には、充電池１４が収納されている。また、上部ハウジング１１ａと下部ハウジング１１ｂとの間には、回路基板１５が設けられている。
【００１４】
この回路基板１５は、図４に示すように、時計機能に必要な各種の電子部品１５ａが搭載されていると共に、表示部１３および充電池１４が電気的に接続されている。これにより、回路基板１５は、充電池１４から電力が供給され、各種の電子部品１５ａによって表示部１３が駆動されて各種の情報を表示部１３に表示させるように構成されている。
【００１５】
また、下部ハウジング１１ｂと押え板１２との間には、図４および図５に示すように、第１金属板１６が押え板１２に接触して電気的に接続された状態で配置されている。この第１金属板１６は、押え板１２を介して回路基板１５のグランド電極（図示せず）に接続されている。
【００１６】
押え板１２は、図３および図４に示すように、押え接触片１２ｂが裏蓋１０に接触していることによって、裏蓋１０と電気的に接続されている。また、この押え板１２は、回路基板１５のグランド電極に接続されている。これにより、裏蓋１０は、押え板１２および第１金属板１６によって回路基板１５のグランド電極と電気的に接続されてグランド電位になっている。この押え板１２は、金属板の表面に導電性の高い金（Au）などの導電被膜をイオンプレーティング、蒸着、めっきなどの表面処理、好ましくはイオンプレーティングによる表面処理によって設けられている。
【００１７】
ところで、腕時計ケース１の上部に設けられたアンテナ６は、図２に示すように、ＧＰＳ（Global Positioning System）用のものであり、カバー部材７によって覆われている。このアンテナ６は、腕時計ケース１の上面にその円周方向に沿って不連続なリング状、つまりＣ字形状に形成されている。
【００１８】
すなわち、このアンテナ６は、図２に示すように、腕時計ケース１の１０時側に対応する箇所、つまり９時側から１１時側に対応する箇所に切欠き部６ａが設けられている。また、このアンテナ６は、径方向の長さ（幅）が腕時計ケース１の上端面における径方向の長さ（幅）よりも少し短く形成されている。例えば、このアンテナ６の径方向の長さ（幅）は、アンテナ６の半径の1/10〜1/20の長さで、好ましくは約1/15の長さに形成されている。
【００１９】
このアンテナ６は、図２に示すように、腕時計ケース１の１２時側と６時側との各バンド取付部３において、腕時計ケース１の外側から腕時計ケース１中を通して腕時計ケース１内の時計モジュール１１と電気的に接続されるように構成されている。すなわち、このアンテナ６は、給電接点部２０および第１〜第３グランド接点部２１〜２３を備え、これらが時計モジュール１１と電気的に接続されるように構成されている。
【００２０】
給電接点部２０は、図４および図５に示すように、１２時側のバンド取付部３に対応する腕時計ケース１に設けられた第１接続部材である金属製の内圧調整弁２４を介して時計モジュール１１と電気的に接続されている。この場合、第１接続部材である内圧調整弁２４は、腕時計ケース１内の圧力が高いときに、外部の圧力と同じ圧力にするための逆止弁であり、１２時側のバンド取付部３における腕時計ケース１の１時側寄りに設けられている。
【００２１】
この内圧調整弁２４は、図４および図５に示すように、１２時側のバンド取付部３の箇所において、腕時計ケース１の内外に露出した状態で腕時計ケース１中に設けられている。給電接点部２０の一部は、内圧調整弁２４の外端部と腕時計ケース１との間に挟みこまれている。この内圧調整弁２４は、その外端部の鍔部が給電接点部２０の一部を腕時計ケース１の外面に押し付けて給電接点部２０に接触することにより、給電接点部２０と接続されている。また、この内圧調整弁２４は、その内端部がリード線２４ａによって回路基板１５の給電電極（図示せず）に電気的に接続されている。
【００２２】
これにより、給電接点部２０は、図２、図４および図５に示すように、金属製の内圧調整弁２４に押し当てられて内圧調整弁２４と電気的に接続されると共に、この内圧調整弁２４がリード線２４ａによって回路基板１５の給電電極に接続されることにより、１２時側のバンド取付部３の箇所において、腕時計ケース１内の時計モジュール１１における回路基板１５の給電電極と電気的に接続されている。
【００２３】
第１グランド接点部２１は、図２、図３、図５および図６に示すように、１２時側のバンド取付部３に対応する腕時計ケース１に設けられた第２接続部材である第２金属板２５によって腕時計ケース１の下部に設けられた裏蓋１０を介して時計モジュール１１と電気的に接続されている。この場合、第２接続部材である第２金属板２５は、１２時側のバンド取付部３における腕時計ケース１の１１時側寄りに設けられたＵＳＢ端子２６の周囲を囲んでＵＳＢ端子２６の静電気対策を図る金属板である。
【００２４】
すなわち、この第２金属板２５には、図２、図３および図５に示すように、ＵＳＢ端子２６の周囲を囲う四角形の枠状に形成され、その一部が腕時計ケース１の下面に延長され、この延長された部分が第１接続部２５ａ（図３参照）として設けられている。これにより、第２金属板２５は、腕時計ケース１の下面に裏蓋１０が取り付けられた際に、第１接続部２５ａに裏蓋１０の周縁部が圧接して電気的に接続され、この裏蓋１０を介して時計モジュール１１の回路基板１５のグランド電極と電気的に接続されるように構成されている。
【００２５】
この場合、第２金属板２５は、押え板１２と同様、金属板の表面に導電性の高い金（Au）などの導電被膜をイオンプレーティング、蒸着、めっきなどの表面処理、好ましくはイオンプレーティングによる表面処理によって設けられている。また、この第２金属板２５は、図２、図５および図６に示すように、腕時計ケース１の１０時側に設けられた充電端子部５に延長される延長部２５ｂが設けられている。この延長部２５ｂは、先端部が充電端子５ａのグランド部５ｂに押し付けられて電気的に接続された状態で、第１ビス２６によって腕時計ケース１に取り付けられている。
【００２６】
これにより、第２金属板２５は、図８に示すように、第１接続部２５ａに裏蓋１０が圧接して電気的に接続されることにより、裏蓋１０を介して充電端子５ａのグランド部５ｂを時計モジュール１１の回路基板１５のグランド電極と電気的に接続するように構成されている。この場合、充電端子５ａのグランド部５ｂは、端子接触片５ｃによって回路基板１５のグランド電極と電気的に接続されている。また、充電端子５ａは、回路基板１５の充電電極（図示せず）に接続されている。
【００２７】
第２グランド接点部２２と第３グランド接点部２３とは、図２、図７および図８に示すように、６時側のバンド取付部３に対応する腕時計ケース１に設けられたマイクロホン（図示せず）を保護する第３接続部材である保護板２７によって、腕時計ケース１の下部に取り付けられた裏蓋１０を介して時計モジュール１１の回路基板１５と電気的に接続されている。
【００２８】
すなわち、第２グランド接点部２２は、図２および図７に示すように、６時側のバンド取付部３における腕時計ケース１の外面にマイクロホン（図示せず）を覆って配置された保護板２７の７時側寄りに配置されて、保護板２７と共に腕時計ケース１の外面に第２ビス２８によって取り付けられている。
【００２９】
第３グランド接点部２３は、図２および図７に示すように、６時側のバンド取付部３における腕時計ケース１の外面に配置され保護板２７の５時側寄りに配置されて、第２グランド接点部２２と同様、保護板２７と共に腕時計ケース１の外面に第２ビス２８によって取り付けられている。
【００３０】
この場合、保護板２７は、図２および図７に示すように、６時側のバンド取付部３における腕時計ケース１中にその内外に露出して設けられたマイクロホン（図示せず）を覆って保護する金属板であり、多数の小孔がマイクロホンに対応して設けられている。この保護板２７も、押え板１２と同様、金属板の表面に導電性の高い金（Au）などの導電被膜をイオンプレーティング、蒸着、めっきなどの表面処理、好ましくはイオンプレーティングによる表面処理によって設けられている。
【００３１】
また、この保護板２７には、図３および図７に示すように、その下辺部の一部が腕時計ケース１の下面に延長された第２接続部２７ａが設けられている。これにより、保護板２７は、腕時計ケース１の下面に裏蓋１０が取り付けられた際に、第２接続部２７ａに裏蓋１０の周縁部が圧接して電気的に接続され、この裏蓋１０を介して時計モジュール１１の回路基板１５のグランド電極と電気的に接続されるように構成されている。
【００３２】
このため、アンテナ６は、図８に示すように、裏蓋１０が押え板１２および第１金属板１６によって時計モジュール１１の回路基板１５のグランド電極に接続された状態で、給電接点部２０が金属製の内圧調整弁２４を介して回路基板１５の給電電極に接続され、第１グランド接点部２１が第２金属板２５によって裏蓋１０に接続され、この裏蓋１０を介して回路基板１５のグランド電極に接続されている。
【００３３】
また、このアンテナ６は、図８に示すように、第２グランド接点部２２と第３グランド接点部２３とがマイクロホンの保護板２７によって裏蓋１０に接続され、この裏蓋１０を介して回路基板１５のグランド電極に接続されている。これにより、アンテナ６は、ＧＰＳ用の電波を受信するように構成されている。
【００３４】
この場合、充電端子部５は、図８に示すように、充電端子５ａのグランド部５ｂが端子接触片５ｃによって回路基板１５のグランド電極に接続されていると共に、第２金属板２５によって裏蓋１０に接続され、この裏蓋１０を介して回路基板１５のグランド電極に接続されている。
【００３５】
ところで、アンテナ６の給電接点部２０は、図２に示すように、１２時側のバンド取付部３における腕時計ケース１の１時側寄りに配置されている。第１グランド接点部２１は、１２時側のバンド取付部３における腕時計ケース１の１１時側寄りに配置されている。これにより、第１グランド接点部２１は、給電接点部２０に対して、反時計回り方向に所定の開き角度、例えば約３０度の開き角度をもって少し離れて配置されている。
【００３６】
また、第２グランド接点部２２は、図２に示すように、６時側のバンド取付部３における腕時計ケース１の７時側寄りに配置されている。これにより、第２グランド接点部２２は、給電接点部２０に対して、反時計回り方向に所定の開き角度、例えば約１８０度の開き角度をもってほぼ対角線上に対向して配置されている。
【００３７】
第３グランド接点部２３は、図２に示すように、６時側のバンド取付部３における腕時計ケース１の５時側寄りに配置されている。これにより、第３グランド接点部２３は、給電接点部２０に対して、対角線上に対向する位置よりも反時計回り方向に少し大きい開き角度、例えば約２１０度の開き角度をもって配置されている。
【００３８】
このため、このアンテナ６は、図２および図８に示すように、給電接点部２０に対する第１グランド接点部２１〜第３グランド接点部２３の配置関係によって、ＧＰＳ用の電波を受信する受信性能が向上し、アンテナ利得が向上することにより、ＧＰＳ用の電波を安定した状態で確実にかつ良好に受信するように構成されている。
【００３９】
次に、このような腕時計のアンテナ６の作用について説明する。
このアンテナ６を腕時計ケース１に取り付ける場合には、まず、アンテナ６を腕時計ケース１の上面に配置する。このときには、アンテナ６の切欠き部６ａを腕時計ケース１の１０時側、つまり９時側から１１時側に対応させて配置する。
【００４０】
また、このときには、給電接点部２０を１２時側のバンド取付部３における腕時計ケース１の１時側寄りに配置し、第１グランド接点部２１を１２時側のバンド取付部３における腕時計ケース１の１１時側寄りに配置する。また、第２グランド接点部２２を６時側のバンド取付部３における腕時計ケース１の７時側寄りに配置し、第３グランド接点部２３を６時側のバンド取付部３における腕時計ケース１の５時側寄りに配置する。
【００４１】
この状態で、腕時計ケース１の２時側、３時側および４時側にスイッチ釦４をそれぞれ取り付けると共に、１０時側に充電端子部５を配置する。また、このときには、１２時側のバンド取付部３に対応する腕時計ケース１に内圧調整弁２４およびＵＳＢ端子２６を取り付けると共に、６時側のバンド取付部３に対応する腕時計ケース１にマイクロホン（図示せず）を取り付ける。
【００４２】
そして、アンテナ６の給電接点部２０を内圧調整弁２４に接続する。このときには、内圧調整弁２４の鍔部で給電接点部２０を腕時計ケース１の外面に押し付ける。また、アンテナ６の第１グランド接点部２１をＵＳＢ端子２６の周囲に配置された第２金属板２５に接続する。
【００４３】
このときには、第２金属板２５を腕時計ケース１の外面におけるＵＳＢ端子２６の周囲に配置させて、第２金属板２５の第１接続部２５ａを腕時計ケース１の裏面に延長させて配置させる。これと同時に、第２金属板２５の延長部２５ｂの先端部を腕時計ケース１の１０時側に配置された充電端子５ａのグランド部５ｂに配置させる。
【００４４】
この状態で、第１グランド接点部２１を第２金属板２５に接続する。このときには、第２金属板２５で第１グランド接点部２１を腕時計ケース１の外面に押し付ける。また、この状態で、第２金属板２５の延長部２５ｂを充電端子５ａのグランド部５ｂに接続する。このときには、第２金属板２５の延長部２５ｂの先端部を充電端子５ａのグランド部５ｂ上に接触させて配置させた状態で第１ビス２６によって腕時計ケース１に取り付ける。
【００４５】
また、アンテナ６の第２グランド接点部２２と第３グランド接点部２３とをマイクロホン（図示せず）の保護板２７に接続する。このときには、予め、保護板２７をマイクロホンに対応させて腕時計ケース１の外面に配置すると共に、保護板２７の第２接続部２７ａを腕時計ケース１の裏面に配置する。この状態で、第２グランド接点部２２と第３グランド接点部２３とを第２ビス２８によってそれぞれ保護板２７と共に腕時計ケース１に取り付ける。
【００４６】
そして、時計モジュール１１を腕時計ケース１内に組み込む。このときには、予め、時計モジュール１１を組み立てる。すなわち、表示部１３を上部ハウジング１１ａに組み込み、充電池１４を下部ハウジング１１ｂに組み込む。この状態で、回路基板１５を上部ハウジング１１ａと下部ハウジング１１ｂとの間に配置し、押え板１２によって上部ハウジング１１ａと下部ハウジング１１ｂとを相互に重ね合わせて取り付ける。これにより、時計モジュール１１が組み立てられる。
【００４７】
このときには、内圧調整弁２４の内端部に接続されたリード線２４ａを回路基板１５の給電電極（図示せず）に接続する。また、押え板１２によって上部ハウジング１１ａと下部ハウジング１１ｂとを相互に取り付ける際には、下部ハウジング１１ｂと押え板１２との間に第１金属板１６を配置させて押え板１２に接触させ、この押え板１２を第１金属板１６と共に回路基板１５のグランド電極に接続させる。
【００４８】
また、時計モジュール１１を腕時計ケース１内に配置させた際には、充電端子部５の充電端子５ａが回路基板１５に電気的に接続されると共に、充電端子５ａのグランド部５ｂが端子接触片５ｃによって回路基板１５のグランド電極に接続される。これにより、時計モジュール１１が腕時計ケース１内に組み付けられる。
【００４９】
そして、腕時計ケース１の裏面に防水リング１０ａを介して裏蓋１０を配置させ、この状態で裏蓋１０をビス（図示せず）によって取り付ける。すると、押え板１２の押え接触片１２ｂが裏蓋１０の内面に接触して接続される。このときには、第１グランド接点部２１が接続された第２金属板２５の第１接続部２５ａに裏蓋１０の周縁部が押し当てられて電気的に接続される。また、このときには、第２グランド接点部が接続された保護板２７の第２接続部２７ａに裏蓋１０の周縁部が押し当てられて電気的に接続される。
【００５０】
これにより、アンテナ６は、図８に示すように、裏蓋１０が押え板１２および第１金属板１６を介して時計モジュール１１の回路基板１５のグランド電極に接続された状態で、給電接点部２０が金属製の内圧調整弁２４を介して回路基板１５の給電電極に接続され、第１グランド接点部２１が第２金属板２５を介して回路基板１５のグランド電極に接続されている。
【００５１】
この後、腕時計ケース１の上端部にカバー部材７を取り付けて、アンテナ６を覆う。これにより、アンテナ６、給電接点部２０の上部、および第１グランド接点部２１〜第３グランド接点部２３の各上部がカバー部材７によって覆われて保護される。このため、腕時計ケース１が外部から衝撃を受けても、カバー部材７によってアンテナ６が破損しないように確実に保護される。
【００５２】
また、腕時計ケース１の１２時側と６時側とのバンド取付部３に時計バンド２をそれぞれ取り付ける。これにより、１２時側のバンド取付部３に露出して配置されたアンテナ６の給電接点部２０、第１グランド接点部２１、内圧調整弁２４、ＵＳＢ端子２６、第２金属板２５が時計バンド２によって覆われて保護される。また、６時側のバンド取付部３に露出した配置されたアンテナ６の第２グランド接点部２２、第３グランド接点部２３および保護板２７が時計バンド２によって覆われて保護される。
【００５３】
このため、腕時計ケース１が外部から衝撃を受けた際に、１２時側と６時側とのバンド取付部３にそれぞれ取り付けられた時計バンド２によって、アンテナ６の給電接点部２０、内圧調整弁２４、ＵＳＢ端子２６、第２金属板２５、アンテナ６の第１グランド接点部２１〜第３グランド接点部２３および保護板２７が破損しないように確実に保護され、これらの電気的な接続不良が防げる。
【００５４】
このようなアンテナ６は、裏蓋１０が時計モジュール１１の回路基板１５のグランド電極に接続された状態で、給電接点部２０が金属製の内圧調整弁２４を介して回路基板１５の給電電極に接続され、第１グランド接点部２１が第２金属板２５を介して回路基板１５のグランド電極に接続され、第２、第３グランド接点部２２、２３が保護板２７を介して回路基板１５のグランド電極に接続されていることにより、ＧＰＳ用の電波を受信する受信性能が向上し、アンテナ利得が向上することにより、ＧＰＳ用の電波を安定した状態で確実にかつ良好に受信する。
【００５５】
この場合、アンテナ６は、第１グランド接点部２１が給電接点部２０に対して反時計回り方向に所定の開き角度、例えば約３０度の開き角度をもって少し離れて配置され、第２グランド接点部２２が給電接点部２０に対して反時計回り方向に所定の開き角度、例えば約１８０度の開き角度をもってほぼ対角線上に対向して配置され、第３グランド接点部２３は、給電接点部２０に対して、対角線上に対向する位置よりも反時計回り方向に大きい開き角度、例えば約２１０度の開き角度をもって配置されている。
【００５６】
このため、このアンテナ６は、給電接点部２０に対する第１グランド接点部２１〜第３グランド接点部２３の配置関係によって、ＧＰＳ用の電波を受信する受信性能が確実に向上し、アンテナ利得も更に向上するので、より一層、ＧＰＳ用の電波を安定した状態で確実にかつ良好に受信することができる。
【００５７】
この場合、アンテナ６は、腕時計ケース１の上面にその円周方向に沿って不連続なリング状、すなわち腕時計ケース１の１０時側に対応する箇所、つまり９時側から１１時側に対応する箇所に切欠き部６ａが設けられてＣ字形状に形成され、かつ径方向の長さ（幅）が腕時計ケース１の上端面における径方向の長さ（幅）よりも少し短く、かつアンテナ６の半径の約1/15の長さに形成されていることによっても、ＧＰＳ用の電波を受信する受信性能が向上し、アンテナ利得が向上する。
【００５８】
このように、この腕時計によれば、時計モジュール１１を収容する腕時計ケース１と、この腕時計ケース１の上面にその円周方向に沿って不連続なリング状に設けられて、腕時計ケース１の外側から腕時計ケース１内の時計モジュール１１に電気的に接続されるアンテナ６と、を備えていることにより、アンテナ６の接続信頼性を確保して、アンテナ特性を向上させることができる。
【００５９】
すなわち、この腕時計では、腕時計ケース１の外側からアンテナ６を腕時計ケース１内の時計モジュール１１に電気的に接続するので、アンテナ６と時計モジュール１１とを確実にかつ良好に接続することができ、これによりアンテナ６の接続信頼性を確保することができるので、電波を安定した状態で良好に受信することができ、これにより受信性能およびアンテナ利得を向上させることができるので、アンテナ特性を向上させることができる。
【００６０】
この場合、この腕時計では、アンテナ６が腕時計ケース１の１２時側と６時側とに設けられたバンド取付部３の箇所を経て時計モジュール１１と電気的に接続されていることにより、アンテナ６を時計モジュール１１に接続する接続部分、つまり給電接点部２０、第１〜第３グランド接点部２１〜２３、内圧調整弁２４、第２金属板２５、および保護板２７をバンド取付部３に対応する腕時計ケース１の外部に設けることができる。
【００６１】
このため、この腕時計では、接続部分である給電接点部２０、第１〜第３グランド接点部２１〜２３、内圧調整弁２４、第２金属板２５、および保護板２７が腕時計ケース１の外部に露出していても、バンド取付部３に時計バンド２を取り付けることができ、これにより時計バンド２によって接続部分を保護することがきるので、接続部分の断線や破損を防ぐことができ、これによりアンテナ６の接続信頼性を確保することができる。
【００６２】
また、この腕時計では、アンテナ６が時計モジュール１１に電気的に接続される給電接点部２０および第１〜第３グランド接点部２１〜２３を備えていることにより、アンテナ６の受信性能を確保することができるので、アンテナ６によって電波を確実にかつ良好に受信することができる。
【００６３】
この場合、給電接点部２０は、１２時側のバンド取付部３に対応する腕時計ケース１に設けられた第１接続部材である金属製の内圧調整弁２４によって時計モジュール１１と電気的に接続されていることにより、別部品としての特殊な接続部材を用いずに、内圧調整弁２４を利用して、給電接点部２０を腕時計ケース１内の時計モジュール１１に確実にかつ良好に接続することができる。
【００６４】
すなわち、内圧調整弁２４は、１２時側のバンド取付部３に対応する腕時計ケース１に設けられて、内端部がリード線２４ａによって時計モジュール１１に電気的に接続されているので、内圧調整弁２４によって給電接点部２０を腕時計ケース１の外面に押し付けて接触させることにより、給電接点部２０を内圧調整弁２４に接続させることができ、この内圧調整弁２４によって腕時計ケース１内の時計モジュール１１と確実に接続させることができる。
【００６５】
また、この腕時計では、第１グランド接点部２１が１２時側のバンド取付部３に対応する腕時計ケース１に設けられた第２接続部材であるＵＳＢ端子２６の第２金属板２５によって腕時計ケース１の裏面に設けられた裏蓋１０を介して時計モジュール１１と電気的に接続されていることにより、別部品としての特殊な接続部材を用いずに、ＵＳＢ端子２６の静電気対策用の第２金属板２５を利用して、第１グランド接点部２１を時計モジュール１１に確実にかつ良好に接続することができる。
【００６６】
この場合、第２金属板２５は、その一部から腕時計ケース１の裏面に延長された第１接続部２５ａが設けられていることにより、腕時計ケース１の下面に裏蓋１０が取り付けられた際に、第１接続部２５ａに裏蓋１０の周縁部が圧接して電気的に接続されるので、この裏蓋１０を介して第２金属板２５を時計モジュール１１のグランド電極に簡単にかつ確実に接続させることができる。
【００６７】
また、この第２金属板２５は、延長部２５ｂが腕時計ケース１の１０時側に設けられた充電端子部５に延長され、この延長された延長部２５ｂの先端部が充電端子５ａのグランド部５ｂに第１ビス２６によって電気的に接続されていることにより、充電端子５ａのグランド部５ｂを第２金属板２５によって裏蓋１０に接続することができ、この裏蓋１０を介して時計モジュール１１のグランド電極に接続させることができるので、充電端子５ａのグランド部５ｂの接続を簡素化することができる。
【００６８】
また、この腕時計では、第２グランド接点部２２と第３グランド接点部２３とが、６時側のバンド取付部３に対応する腕時計ケース１に設けられた第３接続部材であるマイクロホンの保護板２７によって腕時計ケース１の裏面に設けられた裏蓋１０を介して時計モジュール１１と電気的に接続されていることにより、別部品としての特殊な接続部材を用いずに、マイクロホンの保護板２７を利用して、第２グランド接点部２２と第３グランド接点部２３とを時計モジュール１１に確実にかつ良好に接続することができる。
【００６９】
この場合、マイクロホンの保護板２７は、その一部から腕時計ケース１の裏面に延長された第２接続部２７ａが設けられていることにより、腕時計ケース１の下面に裏蓋１０が取り付けられた際に、第２接続部２７ａに裏蓋１０の周縁部が圧接して電気的に接続されるので、この裏蓋１０を介して保護板２７を時計モジュール１１のグランド電極に簡単にかつ確実に接続させることができる。
【００７０】
また、この腕時計では、第１グランド接点部２１が給電接点部２０に対して反時計回り方向に所定の開き角度をもって隣接して配置されており、第２グランド接点部２２が給電接点部２０に対して所定の開き角度をもってほぼ対角線上に対向して配置されており、第３グランド接点部２３が給電接点部２０に対して対角線上に対向する位置よりも反時計回り方向に少し大きい開き角度をもって配置されていることにより、電波を受信する受信性能が向上し、アンテナ利得が向上することにより、ＧＰＳ用の電波を安定した状態で確実にかつ良好に受信することができる。
【００７１】
このため、このアンテナ６は、給電接点部２０に対する第１グランド接点部２１〜第３グランド接点部２３の配置関係によって、ＧＰＳ用の電波を受信する受信性能が確実に向上し、アンテナ利得も更に向上することにより、より一層、ＧＰＳ用の電波を安定した状態で確実にかつ良好に受信することができる。
【００７２】
さらに、この腕時計では、アンテナ６が腕時計ケース１の上面にその円周方向に沿って不連続なリング状、すなわち腕時計ケース１の１０時側に対応する箇所、つまり９時側から１１時側に対応する箇所に切欠き部６ａが設けられてＣ字形状に形成されていることにより、ＧＰＳ用の電波を受信する受信性能を向上させることができると共に、アンテナ利得を向上させることができる。
【００７３】
この場合、アンテナ６は、その径方向の長さ（幅）が腕時計ケース１の上端面における径方向の長さ（幅）よりも少し短く、かつアンテナ６の半径の1/10〜1/20の長さで、好ましくは約1/15の長さに形成されていることによっても、ＧＰＳ用の電波を受信する受信性能を向上させることができると共に、アンテナ利得を向上させることができる。
【００７４】
なお、上述した実施形態では、第１接続部材として、腕時計ケース１中に設けられた内圧調整弁２４を用いた場合について述べたが、この発明は、これに限らず、例えば押釦スイッチの操作軸、または操作軸が挿入される金属パイプを用いても良く、また単純な金属棒を用いても良い。
【００７５】
また、上述した実施形態では、第２接続部材として、腕時計ケース１に設けられたＵＳＢ端子２６の第２金属板２５を用いた場合について述べたが、この発明は、これに限らず、別部品としての単なる金属板を用いても良い。
【００７６】
また、上述した実施形態では、第３接続部材として、腕時計ケース１に設けられたマイクロホンの保護板２７を用いた場合について述べたが、この発明は、これに限らず、別部品としての単なる金属板を用いても良い。
【００７７】
また、上述した実施形態では、時刻を表示する表示手段として、表示パネルの表示部１３を用いた場合について述べたが、この発明は、表示パネルの表示部１３に限らず、指針を運針させて時刻を指示させる時計ムーブメントを備えていても良い。
【００７８】
さらに、上述した実施形態では、腕時計に適用した場合について述べたが、必ずしも腕時計である必要はなく、例えばトラベルウオッチ、目覚まし時計、置き時計、掛け時計などの各種の時計に適用することができる。
【００７９】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８０】
（付記）
請求項１に記載の発明は、モジュールを収容するケースと、前記ケースの一面に円周方向に沿って不連続な環状に設けられて、前記ケースの外側から前記ケース内の前記モジュールに電気的に接続されたアンテナと、を備えていることを特徴とする時計である。
【００８１】
請求項２に記載の発明は、請求項１に記載の時計において、前記アンテナは、前記ケースの１２時側と６時側とに設けられたバンド取付部の箇所を経て前記モジュールと電気的に接続されていることを特徴とする時計である。
【００８２】
請求項３に記載の発明は、請求項１または請求項２に記載の時計において、前記アンテナは、前記モジュールに電気的に接続される給電接点部および第１〜第３グランド接点部を備えていることを特徴とする時計である。
【００８３】
請求項４に記載の発明は、請求項３に記載の時計において、前記給電接点部は、前記１２時側の前記バンド取付部に対応する前記ケースに設けられた第１接続部材によって前記モジュールと電気的に接続されていることを特徴とする時計である。
【００８４】
請求項５に記載の発明は、請求項３に記載の時計において、前記第１グランド接点部は、前記１２時側の前記バンド取付部に対応する前記ケースに設けられた第２接続部材によって前記ケースの前記一面と反対側の他面に設けられた裏蓋を介して前記モジュールと電気的に接続されていることを特徴とする時計である。
【００８５】
請求項６に記載の発明は、請求項３に記載の時計において、前記第２グランド接点部と前記第３グランド接点部とは、前記６時側の前記バンド取付部に対応する前記ケースに設けられた第３接続部材によって前記ケースの前記一面と反対側の他面に設けられた裏蓋を介して前記モジュールと電気的に接続されていることを特徴とする時計である。
【００８６】
請求項７に記載の発明は、請求項３〜請求項６のいずれかに記載の時計において、前記第１グランド接点部は、前記給電接点部に対して反時計回り方向に所定の開き角度をもって隣接して配置されており、前記第２グランド接点部は、前記給電接点部に対して所定の開き角度をもってほぼ対角線上に対向して配置されており、前記第３グランド接点部は、前記給電接点部に対して前記対角線上に対向する位置よりも反時計回り方向に大きい開き角度をもって配置されていることを特徴とする時計である。
【００８７】
請求項８に記載の発明は、請求項１〜請求項７のいずれかに記載の時計において、前記アンテナは、前記ケースの１０時側に対応する箇所に切欠き部が設けられていることを特徴とする時計である。
【符号の説明】
【００８８】
１  腕時計ケース
２  時計バンド
３  バンド取付部
５  充電端子部
５ａ  充電端子
５ｂ  グランド部
５ｃ  端子接触片
６  アンテナ
６ａ  切欠き部
７  カバー部材
１０  裏蓋
１１  時計モジュール
１２  押え板
１２ａ  フック
１２ｂ  押え接触片
１３  表示部
１４  充電池
１５  回路基板
１６  第１金属板
２０  給電接点部
２１  第１グランド接点部
２２  第２グランド接点部
２３  第３グランド接点部
２４  内圧調整弁
２４ａ  リード線
２５  第２金属板
２５ａ  第１接続部
２７  保護板
【図１】
2020115085.tif 000003
【図２】
2020115085.tif 000004
【図３】
2020115085.tif 000005
【図４】
2020115085.tif 000006
【図５】
2020115085.tif 000007
【図６】
2020115085.tif 000008
【図７】
2020115085.tif 000009
【図８】
2020115085.tif 000010